(57)【特許請求の範囲】
【請求項１】
二つまたはそれより多い相互に連結したキュベット（２）により形成される少なくとも一つの列を含み、該列から一つのキュベットは取り外されて、キュベット（２）用の開口部（５）を有するスタンド（４）中に置かれることができ、キュベット（２）は、その外側表面上に、開口部（５）の壁部の上方の表面に当接する肩部（９）を有するキュベットマトリックス（１）であって；
前記キュベットは、肩部（９）の下方のその外表面上に、前記キュベット列の長手方向に対してある角度をもって配置された少なくとも一つの支持部材（１０）を有して、前記キュベットが前記キュベット列から取り外され、そして前記開口部中で回転させられた後に、開口部（５）中でのキュベット（２）の固定を容易にすることを特徴とするキュベットマトリックス（１）。
【請求項２】
支持部材（１０）は、前記キュベット列の長手方向に対して実質的に４５°の角度で配置されていることを特徴とする、請求項１記載のキュベットマトリックス。
【請求項３】
支持部材（１０）は、垂直平面を有するキュベットの外表面の拡張部（１０）であることを特徴とする、請求項１または２に記載のキュベットマトリックス。
【請求項４】
キュベット（２）の向い合った側に位置する二つの支持部材（１０）があることを特徴とする、請求項１ないし３のいずれかに一項に記載のキュベットマトリックス。
【請求項５】
支持部材（１０）は小節または隆起であり、そして前記開口部の側壁は前記小節または隆起に該当する窪みまたは溝を有することを特徴とする、請求項１または２に記載のキュベットマトリックス。
【発明の詳細な説明】
【０００１】
【産業上の利用分野】
本発明は、実験室技術に関し、例えば診断検定法で使用できるキュベットマトリックスに関係する。
【０００２】
【従来の技術と発明が解決しようとする課題】
例えば診断検定方法では、キュベットの１列又はそれより多い列からなるキュベットセットが一般に使用されている。標準サイズの８×１２の微量滴定板とそれらの部分的マトリックスは特に普及している。
【０００３】
キュベットが取外しができるように相互に連結してあるようなキュベットセットも使用されている。この方法でもって、キュベットの、各々の場合に、丁度要求される数を一度に使用できる。分解できる棹（ｓｔｅｍ）  を備えたそのようなキュベットセットは例えばフィンランド特許出願公開ＦＩ−Ａ−８９４０２５（例えば、米国公報−ＵＳ−５０９６６７２に該当する。）から知られている。そのキュベットセットはスタンドに接続しており、そのスタンドはキュベットに該当する正方形の開口部を持ちそしてその開口部の各々にはキュベットを所定位置に保持するための弾力性の支持手段がある。
【０００４】
上述のマトリックスから取り外せる単一のキュベットを使用する場合は、キュベットは常にスタンド中に充分に満足して定置されているとは限らない。
【０００５】
【課題を解決するための手段】
（本発明の概要）
本発明の主目的は、キュベットマトリックスから取り外した単一のキュベットがスタンドの所定位置に既知のキュベットよりよりよく定置されるキュベットマトリックスを提供する。
【０００６】
発明の最も本質的な特徴は、キュベットの外側表面上キュベット列の縦方向に関して一定の角度で支持部材があり、それはスタンドのキュベット用の開口部の壁と一緒になって、キュベットを開口部中で回転した後キュベットを所定位置に緊密に保持することである。
【０００７】
本発明とそのある種の好ましい実施態様は、特許請求の範囲で詳細に定義されている。
【０００８】
本発明に従ったキュベットマトリックスは１列又はそれより多いキュベット列からなり、そしてそのキュベットは、１個又はそれより多い使用するキュベットを、所望の場合、一度に取外すことが可能であるように連結されている。キュベットマトリックスは、その目的に適したポリスチレンのようなある種のプラスチックから製造されているのが好ましい。光学的測定のためには、キュベットの底は、所望の場合は、透明であるように製造されている。キュベットは特に液体試料で製造されたいろいろの診断検定に使用するために特に適している。所望の場合は、キュベットは、例えば測定する抗体の抗原の塗布により前処理できる。
【０００９】
キュベットは、各々のキュベットのための開口部を持つ特定のスタンド中に設置されるように意図されている。キュベットは摩擦手段により開口部中に定置する。開口部は正方形であるのが好ましいが、それは例えば６角形のような他の形であってもよい。そのキュベットを付けたスタンドは、次いで分析のために例えば垂直測定光電管中へ入れることができる。
【００１０】
キュベットは好ましくはその外表面が下方に僅かに先細になっていてそれによりスタンド中の位置付けがより容易である。外表面上では、スタンドに関して或る高さでキュベットの位置付けを容易にする拡張部又はそのようなものであってもよい。
【００１１】
各々のキュベットは、その外表面上に支持部材を持ち、それはキュベットを回転する際、キュベットを開口部に対してより厳密にすら固定する。好ましくは、支持部材はキュベット列に縦方向に対して実質的に４５°の角度にあり、それによりキュベットは相応して実質的に４５°まで回転する。好ましくは、キュベットの反対側に２個の支持部材がある。
【００１２】
好ましくは支持部材は、キュベットの表面上の拡張部である。拡張部は垂直の平面であるのが最も良く、それは、キュベットを回転した時、スタンドの開口部の垂直壁に対して着実に位置する。拡張部は例えば小節又はある種の隆起であってもよく、その際開口部の壁はそれらに該当する窪み又は溝を持っていてよい。
【００１３】
好ましくはスタンドの開口部は更に弾力性の圧縮部材も持っていてよく、それはキュベットを所定位置に保持する。
【００１４】
【実施例】
次に、本発明の実施態様を実施例として記載する。図面に就いて記述する：
図１はキュベットマトリックスの正面からの断面図である。
図２は図１と同じマトリックスの上面図である。
図３はキュベットの側面からの断面図である。
図４は図３と同じキュベットの断面図である。
図５はキュベットマトリックスのためのスタンドの上面からの図である。
【００１５】
図のキュベットマトリックスと、そのスタンドは、米国公報５０９６６７２号に記載されたのと同様の基本的問題解決による。該公報はここで引用として包含される。
【００１６】
キュベットマトリックス１では、キュベット２の間に棹３を組み込むことによりキュベットの所望数をマトリックスから取り外すことができるように、キュベット２を互いに接続する。キュベットはその断面は円形でありそれらの低い方の部分程微かにより狭くなる。全体のマトリックス又はそれらの部分はスタンド４中に設置でき、そのスタンド４は正方形の断面の８×１２個の孔５を持つ。孔の側面はキュベットの底部の直径より僅かに広い。かくして、キュベットはスタンドの孔中へ位置付けできる。しかし、孔の側面は、底部より上の部分のキュベットの直径より僅かに狭い。かくして、キュベットは摩擦により孔に密着する。
【００１７】
組み込みを容易にするために、棹３は次第に狭くしてある。図の解決では各々の末端においてより狭くなっているが、例えば一つの狭窄は中央部内に作られてもよく、それにより棹はいつも対称的に割れる。
【００１８】
孔５は、文字（Ａ−Ｈ）により記号付けした８個の水平列と数字（１−１２）により記号付けした１２個の垂直欄を形成する。孔は長方形の枠とその中間壁により結合されている。垂直欄と平行の中間壁６は堅固で連続的である。水平列の第２番目の各々の中間壁７も連続的で堅固である。
【００１９】
水平列に平行な端から第１番目の中間壁から数えて、その列に平行な全ての第２番目の中間壁は、垂直欄の中央線で、切断末端の間に小さい間隔が形成されるようにして、垂直にしかし中間壁に対して斜めに切断されている。かくして指部８が、水平平面上僅かに曲がって中間壁と平行に形成される。中間壁は指部の所で僅かに厚い。
【００２０】
スタンド４の一つの角は面取りしてあり、それがスタンドの分析装置中の正確な位置を同定、例えば自動的に同定するのを容易にする。
【００２１】
中間壁６と７の上面と枠の内面の端上の拡張は、キュベットの外表面上の肩部９上に隣接する。この方法でもって、キュベットはスタンド上で同じに高さに常時位置する。
【００２２】
各々のキュベット２には、キュベット列の縦方向から４５°の角度で、肩部９の下、反対側に、垂直の平面状拡張部１０がある。二つ又はそれより多いキュベットにより形成される列をスタンド中に配列する場合、孔５の角部上に拡張部は位置する。連続的キュベット列は、強力な歪みによる摩擦と、所謂「引き出し効果」に因って所定位置内に常時よく定置される。単一の分離キュベットが使用されると、それは拡張部が孔の壁に対立して位置するようにしてスタンドの孔中で回転する。この場合、指部８はキュベットを更に堅く押し付け、キュベットはよく固定して定置する。
【図面の簡単な説明】
【図１】キュベットマトリックスの正面からの断面図である。
【図２】図１と同じマトリックスの上面図である。
【図３】キュベットの側面からの断面図である。
【図４】図３と同じキュベットの上面からの断面図である。
【図５】キュベットマトリックスのためのスタンドの上面図である。
【符号の説明】
１・・・キュベットマトリックス
２・・・キュベット
３・・・棹
４・・・スタンド
５・・・孔又は開口部
６・・・中間壁
７・・・中間壁
８・・・指部
９・・・肩部
１０・・・拡張部又は支持部材
【図１】
0003574932.tif 000002
【図２】
0003574932.tif 000003
【図３】
0003574932.tif 000004
【図４】
0003574932.tif 000005
【図５】
0003574932.tif 000006